(57)【要約】【課題】  結合されて本来の用をなすことができるように且つ夫々が独立して用をなすことができるように分割形成し、汎用性の向上を図る。【解決手段】  乳房に対応するカップ部を備え人体に装着される肌着と人体の肌面との間に入れられ、肌着によって肌面に対して保持されるクッション性を有したもので、肌面に接触可能な裏面２を有して偏平状に形成され肌着のカップ部の基端部周辺によって肌面に対して押さえられるシート部材１と、肌面に接触可能な裏面１１を有し肌着のカップ部内に収容可能に膨らんで形成されシート部材１の表面３に取付け取外し可能に設けられるパッド本体１０と、パッド本体１０をシート部材１に対して取付け取外し可能に保持する保持手段２０とを備えた。【選択図】図１
2018197414.tif 000002
【特許請求の範囲】
【請求項１】
乳房に対応するカップ部を備え人体に装着される肌着と人体の肌面との間に入れられ上記肌着によって肌面に対して保持されるクッション性を有した胸用パッドにおいて、
肌面に接触可能な裏面を有して偏平状に形成され上記肌着のカップ部の基端部周辺によって肌面に対して押さえられるシート部材と、
肌面に接触可能な裏面を有し上記肌着のカップ部内に収容可能に膨らんで形成され上記シート部材の表面に取付け取外し可能に設けられるパッド本体と、
該パッド本体を上記シート部材に対して取付け取外し可能に保持する保持手段とを備えて構成したことを特徴とする胸用パッド。
【請求項２】
上記保持手段を、係止部と該係止部に係止される被係止部とを備えて構成し、上記係止部及び被係止部の何れか一方を、上記シート部材の肌面に接触する裏面よりも表面側に設け、上記係止部及び被係止部の何れか他方を、上記パッド本体の肌面に接触する裏面よりも表面側に設けたことを特徴とする請求項１記載の胸用パッド。
【請求項３】
上記保持手段を、複数設けたことを特徴とする請求項２記載の胸用パッド。
【請求項４】
上記係止部及び被係止部の少なくとも何れか一方を伸縮性部材を有して構成したことを特徴とする請求項２または３記載の胸用パッド。
【請求項５】
上記係止部及び被係止部の何れか一方を、糸で縫合されたボタンで構成し、上記係止部及び被係止部の何れか他方を、一部が縫合された伸縮可能なゴム製のリングで構成したことを特徴とする請求項４記載の胸用パッド。
【請求項６】
上記シート部材を、上記カップ部に対応する略円形の主体部と、該主体部に連続形成された舌片状の羽根部とを備えて構成したことを特徴とする請求項１乃至５何れかに記載の胸用パッド。
【請求項７】
上記シート部材を、布製の外皮と、該外皮に被覆されたシート状のクッション材とを備えて構成したことを特徴とする請求項１乃至６何れかに記載の胸用パッド。
【請求項８】
上記パッド本体を、上記シート部材の主体部の表面に接合可能になるように略円形且つ少なくとも中心側が略平面状に形成された裏面と、該裏面に対して略球面状に膨出形成された表面とを備えて構成したことを特徴とする請求項６または７記載の胸用パッド。
【請求項９】
上記パッド本体を、布製の外皮と、該外皮に被覆されたクッション材と、該クッション材に包容され袋に内包された多数の粒状部材とを備えて構成したことを特徴とする請求項８記載の胸用パッド。
【請求項１０】
上記表面側のクッション材の厚さを裏面側のクッション材の厚さよりも大きくしたことを特徴とする請求項９記載の胸用パッド。
【発明の詳細な説明】
【技術分野】
【０００１】
本発明は、例えば、乳がん等において双方又は一方の乳房を切除した際、その乳房欠損箇所を補うために用いられ、疑似乳房パッド等ともいわれる胸用パッドに係り、特に、ブラジャーなどの肌着によって保持されるクッション性を有した胸用パッドに関する。
【背景技術】
【０００２】
従来、この種の胸用パッドとしては、例えば、登録実用新案第３０３９７７５号公報（特許文献１）に掲載されているものが知られている。この胸用パッドは、乳房に対応するカップ部を備え人体に装着されるブラジャー等の肌着と人体の胸部の肌面との間に入れられ、肌着によって肌面に対して保持されるもので、胸部の肌面にあてがわれる台座部と、この台座部に一体に膨出形成された隆起部とから構成されている。台座部の隆起部の周辺は、所定幅のつば部として構成されている。台座部は、キルティングの芯を半楕円状のメリヤス布で覆って周辺を縫合して形成され、隆起部は、メリヤス布内に化繊綿を詰めて形成されるとともに台座部に一体に縫合され、全体がクッション性を有して形成されている。そして、この胸用パッドを人体に装着するときは、台座部を胸部にあてがうとともに隆起部を肌着のカップ部内に収納し、隆起部周辺のつば部を肌着のカップ部周辺で押さえて固定する。この種の胸用パッドは、例えば、意匠登録第１５３２５０８号公報（特許文献２）等にも掲載されている。
【先行技術文献】
【特許文献】
【０００３】
【特許文献１】登録実用新案第３０３９７７５号公報
【特許文献２】意匠登録第１５３２５０８号公報
【発明の概要】
【発明が解決しようとする課題】
【０００４】
ところで、上記従来の胸用パッドにおいては、台座部に隆起部を一体に膨出形成したものなので、例えば、手術後に十分に傷が癒えていない場合や、痛みが残る場合等には、隆起部が肌を圧迫することがあり、その場合には肌に負担がかかりすぎて使用に支障をきたすことがある。また、この際、胸用パッドを使用しないようにしても、肌着が直接肌に当たるので、肌を保護する保護用のパッドが必要になる場合もある。
【０００５】
一方、傷が落ち着いた状態では、使用に支障はないとしても、台座部のつば部が肌着によって押圧されているので、肌着が動いたときにつば部も多少なりとも動くことから、つば部による擦れが気になって不要に感じることもある。また、台座部があるので、例えば、肌着にパッド用の収納ポケットが備えられているものもあるが、この場合には、この収納ポケットに入れることができないので、これに対応できないという問題がある。
【０００６】
更に、台座部は肌に接触するので汗等で汚れ易く、その場合には、洗濯をして再使用するが、台座部のみの洗濯はできないので全体を洗濯することになることから、乾燥させにくく、また、洗濯に頻度が増すと、それだけ耐久性を損ねるという問題があった。
【０００７】
本発明は上記の点に鑑みて為されたもので、結合されて本来の用をなすことができるように且つ夫々が独立して用をなすことができるように分割形成し、汎用性の向上を図った胸用パッドを提供することを目的とする。
【課題を解決するための手段】
【０００８】
上記の目的を達成するための本発明の胸用パッドは、乳房に対応するカップ部を備え人体に装着される肌着と人体の肌面との間に入れられ上記肌着によって肌面に対して保持されるクッション性を有した胸用パッドにおいて、
肌面に接触可能な裏面を有して偏平状に形成され上記肌着のカップ部の基端部周辺によって肌面に対して押さえられるシート部材と、
肌面に接触可能な裏面を有し上記肌着のカップ部内に収容可能に膨らんで形成され上記シート部材の表面に取付け取外し可能に設けられるパッド本体と、
該パッド本体を上記シート部材に対して取付け取外し可能に保持する保持手段とを備えて構成している。
【０００９】
この胸用パッドを使用するときは、先ず、通常の使用においては、シート部材にパッド本体を取り付け、保持手段により保持して、シート部材とパッド本体とを結合する。そして、この胸用パッドを人体に装着する。装着の際には、シート部材をその裏面を胸部の肌面に接触させてあてがうとともにパッド本体を肌着のカップ部内に収納し、パッド本体周辺のシート部材の露出した部分を肌着のカップ部周辺で押さえて固定する。これにより、パッド本体により乳房のごとき膨らみを確保することができる。また、シート部材は肌着のカップ部周辺で押さえられるので、肌面に対する保持が安定する。
【００１０】
また、例えば、手術後に十分に傷が癒えていない場合や、痛みが残る場合等には、通常の使用ではパッド本体が肌を圧迫することがあり、その場合には肌に負担がかかりすぎて使用に支障をきたすことがある。また、この際、胸用パッドを使用しないようにしても、肌着が直接肌に当たるので、肌の保護が必要になる場合もある。その場合には、保持手段の保持を解除してシート部材からパッド本体を取外し、シート部材のみを胸部の肌面に接触させてあてがい肌着のカップ部周辺でシート部材の表面を押さえて固定する。これにより、肌面を保護することができるようになる。この場合、パッド本体が取外されているのでパッド本体によって肌を圧迫することがなく、肌に負担がかかる事態を防止することができる。そのため、別途保護用のパッドを用意しなくても良く、それだけ、汎用性を増すことができる。
【００１１】
一方、傷が落ち着いた状態では、シート部材とパッド本体とを結合した状態での使用に支障はないとしても、シート部材が肌着によって押圧されているので、肌着が動いたときにシート部材も多少なりとも動くことから、シート部材による擦れが気になって不要に感じることもある。その場合には、保持手段の保持を解除してシート部材からパッド本体を取外し、パッド本体のみを肌着のカップ部内に収容して用いる。これにより、乳房のごとき膨らみを確保することができる。この場合、シート部材が取外されているので肌着が動いたときのシート部材よる擦れが気になることがない。そのため、汎用性を増すことができる。また、肌着のカップ部にはパッド用の収納ポケットが備えられているものもあるが、この場合には、パッド本体を収納ポケットに収納して用いることができる。シート部材がないので容易に収納ポケットに対応することができ、この点でも、汎用性を増すことができる。
【００１２】
更に、通常の使用においては、シート部材は肌に接触するので汗等で汚れ易く、その場合には、保持手段の保持を解除してシート部材からパッド本体を取外し、シート部材のみを洗濯をして再使用することができる。シート部材の洗濯においては、パッド本体がないので薄いことから、洗いが容易で、乾燥も速くなり、洗濯を容易に行うことができる。この場合、パッド本体の洗濯の頻度を減らすことができるので、それだけ耐久性を損ねる事態が防止される。また、シート部材が痛んだ場合には、新しいものと交換することもでき、それだけ、省力化を図ることができる。シート部材のみの使用においても同様である。
【００１３】
一方、パッド本体が汚れた場合やパッド本体のみの使用においても、パッド本体のみを洗濯して再使用することもできる。この場合は、上記とは逆に、パッド本体の洗濯においては、シート部材がないので、それだけ洗いが容易で、乾燥も速くでき、洗濯を容易に行うことができる。この場合、シート部材の洗濯の頻度を減らすことができるので、それだけ耐久性を損ねる事態が防止される。
【００１４】
このように、本発明によれば、シート部材とパッド本体とを結合した通常の使用，シート部材のみの使用，パッド本体のみの使用の言わば３ＷＡＹの使用を行うことができ、汎用性を大幅に向上させることができるのである。
【００１５】
そして、必要に応じ、上記保持手段を、係止部と該係止部に係止される被係止部とを備えて構成し、上記係止部及び被係止部の何れか一方を、上記シート部材の肌面に接触する裏面よりも表面側に設け、上記係止部及び被係止部の何れか他方を、上記パッド本体の肌面に接触する裏面よりも表面側に設けた構成としている。これにより、係止部及び被係止部がシート部材の肌面に接触する裏面やパッド本体の肌面に接触する裏面に介在しないことになるので、シート部材を肌面に接触させた場合はもとより、パッド本体のみを用いて肌面に接触させた場合も、肌面に係止部や被係止部が当接することがなく、そのため、肌に支障を与える事態を防止することができる。
【００１６】
この場合、上記保持手段を、複数設けたことが有効である。保持を確実にすることができる。
【００１７】
また、必要に応じ、上記係止部及び被係止部の少なくとも何れか一方を伸縮性部材を有して構成している。伸縮性部材の伸縮により、シート部材とパッド部材とが互いに相対的に動くことができ、そのため、シート部材の肌面に対する移動量が少なくなるので、擦れを抑制することができ、それだけ装着感を向上させることができる。
【００１８】
この場合、上記係止部及び被係止部の何れか一方を、糸で縫合されたボタンで構成し、上記係止部及び被係止部の何れか他方を、一部が縫合された伸縮可能なゴム製のリングで構成した構成としている。保持及び保持解除を容易に行うことができるとともに、ゴム製のリングにより、伸縮を確実に行うことができる。
【００１９】
そして、必要に応じ、上記シート部材を、上記カップ部に対応する略円形の主体部と、該主体部に連続形成された舌片状の羽根部とを備えて構成している。羽根部を肌着のカップ部の周辺で押さえることができ、押さえを確実にすることができる。羽根部を押さえるようにすると、手術直後などデリケートな傷にブラジャーの縫い目や縁などが直接当たらないようにすることができ、また、脇の下でもたつかない形態にすることができる。
【００２０】
また、必要に応じ、上記シート部材を、布製の外皮と、該外皮に被覆されたシート状のクッション材とを備えて構成している。布製の外皮が肌に接触するので、より安価で通気性・吸水性を確保し、肌触りも向上させることができる。
【００２１】
更に、必要に応じ、上記パッド本体を、上記シート部材の主体部の表面に接合可能になるように略円形且つ少なくとも中心側が略平面状に形成された裏面と、該裏面に対して略球面状に膨出形成された表面とを備えて構成している。裏面の中心側が略平面状に形成されるので、シート部材と密着しその接触面積も大きくなることから、シート部材に対する支持が確実になる。また、パッド本体単独で用いる場合にも、裏面の中心側が略平面状に形成されるので、肌面との接触性が良く、肌触りを向上させることができる。
【００２２】
更にまた、必要に応じ、上記パッド本体を、布製の外皮と、該外皮に被覆されたクッション材と、該クッション材に包容され袋に内包された多数の粒状部材とを備えて構成している。布製の外皮が肌に接触するので、より安価で通気性・吸水性を確保し、肌触りも向上させることができる。また、袋に内包された多数の粒状部材を用いるので、ある程度の重みを加えることができ、安定化を図ることができるとともに、可能な限り実際の乳房に近いものにすることができる。
【００２３】
また、必要に応じ、上記表面側のクッション材の厚さを裏面側のクッション材の厚さよりも大きくした構成としている。表面側をより膨らませることができ、可能な限り実際の乳房に近いものにすることができる。
【発明の効果】
【００２４】
本発明によれば、通常の使用において、シート部材とパッド本体とを結合して人体に装着すれば、パッド本体により乳房のごとき膨らみを確保することができ、また、シート部材を肌着のカップ部周辺で押さえるので肌面に対する保持を安定させることができる。また、手術後に十分に傷が癒えていない場合や、痛みが残る場合等には、シート部材からパッド本体を取外し、シート部材のみを胸部の肌面に接触させてあてがうことができる。これにより、肌面を保護することができるとともに、パッド本体が取外されているのでパッド本体によって肌を圧迫することがなく、肌に負担がかかる事態を防止することができる。そのため、別途保護用のパッドを用意しなくても良く、それだけ、汎用性を増すことができる。更に、シート部材からパッド本体を取外し、パッド本体のみを肌着のカップ部内に収容して用いることができる。これにより、乳房のごとき膨らみを確保することができるとともに、シート部材が取外されているので肌着が動いたときのシート部材よる擦れが気になることがなく、それだけ、汎用性を増すことができる。また、肌着のカップ部にはパッド用の収納ポケットが備えられているものもあるが、この場合には、パッド本体を収納ポケットに収納して用いることができ、この点でも、汎用性を増すことができる。
【００２５】
更に、シート部材とパッド本体とを別々に洗濯することができるので、洗いが容易で、乾燥も速くなり、洗濯を容易に行うことができる。この場合、シート部材やパッド本体の洗濯の頻度を減らすことができるので、それだけ耐久性を損ねる事態を防止することができる。また、シート部材やパッド本体が痛んだ場合には、個別に新しいものと交換することもでき、それだけ、省力化を図ることができる。
このように、本発明によれば、シート部材とパッド本体とを結合した通常の使用，シート部材のみの使用，パッド本体のみの使用の言わば３ＷＡＹの使用を行うことができ、汎用性を大幅に向上させることができるのである。
【図面の簡単な説明】
【００２６】
【図１】本発明の実施の形態に係る胸用パッドを示す分解斜視図である。
【図２】本発明の実施の形態に係る胸用パッドを示す斜視図である。
【図３】本発明の実施の形態に係る胸用パッドを示す平面図である。
【図４】本発明の実施の形態に係る胸用パッドを示す正面図である。
【図５】本発明の実施の形態に係る胸用パッドを示す正面断面図である。
【図６】本発明の実施の形態に係る胸用パッドの通常の使用状態を示す図である。
【図７】本発明の実施の形態に係る胸用パッドにおいて、シート部材のみの使用状態を示す図である。
【図８】本発明の実施の形態に係る胸用パッドにおいて、パッド本体のみの使用状態を示す図である。
【図９】本発明の実施の形態に係る胸用パッドにおいて、保持手段の変形例を示す斜視図である。
【発明を実施するための形態】
【００２７】
以下、添付図面に基づいて本発明の実施の形態に係る胸用パッドについて詳細に説明する。
図１乃至図５に示す実施の形態に係る胸用パッドＰは、図６乃至図８に示すように、乳房に対応するカップ部Ｗａを備え人体に装着されるブラジャーＢ等の肌着Ｗと人体の肌面との間に入れられ、肌着Ｗによって肌面に対して保持されるクッション性を有したものである。その基本的構成は、肌面に接触可能な裏面２を有して偏平状に形成され肌着Ｗのカップ部Ｗａの基端部周辺によって肌面に対して押さえられるシート部材１と、肌面に接触可能な裏面１１を有し肌着Ｗのカップ部Ｗａ内に収容可能に膨らんで形成されシート部材１の表面に取付け取外し可能に設けられるパッド本体１０と、パッド本体１０をシート部材１に対して取付け取外し可能に保持する保持手段２０とを備えてなる。尚、図示した胸用パッドＰは、左胸用のものであり、右胸用のものは鏡面対象形になるので、図示を省略する。パッド本体１０は、左胸用及び右胸用共に同形状であり共用できる。また、本胸用パッドＰの大きさは、適宜に定めて良い。例えば、体形や肌着Ｗの大きさに合わせて、例えば、Ｌ（大），Ｍ（中），Ｓ（小）の３段階にして作製することができる。これに限定されない。
【００２８】
シート部材１は、肌面に接触可能な裏面２及びパッド本体１０が取付け可能な表面３を有しており、カップ部Ｗａに対応する略円形の主体部４と、主体部４に連続形成された舌片状の羽根部５とを備えて構成され、偏平の所謂涙形状に形成されている。羽根部５の上側縁５ａは凹曲線状に形成され、下側縁５ｂは凸曲線状に形成されている。このシート部材１は、図５に示すように、例えば二重のガーゼからなる布製の外皮６と、この外皮６に被覆され例えばネル生地からなるシート状のクッション材７とを備えて構成されている。
【００２９】
これを製造するときは、図５に示すように、裏面２を構成する外皮６（Ａ）の内側面にシート状のクッション材７（Ａ）を付設し、表面３を構成する外皮６（Ｂ）の内側面にシート状のクッション材７（Ｂ）を付設し、これらの外皮６の外側面同士を接合して袋状に縫合し、その後、クッション材７が内側に入るように反転させ、袋状の口を縫合する。符号８は縫合線である。
【００３０】
パッド本体１０は、シート部材１の主体部４の表面３に接合可能になるように略円形且つ少なくとも中心側が略平面状に形成された裏面１１と、裏面１１に対して略球面状に膨出形成された表面１２とを備えて構成されている。パッド本体１０の外径Ｄｂは、シート部材の主体部４の直径Ｄａよりも小さく形成されている。このパッド本体１０は、図５に示すように、例えば二重のガーゼからなる布製の外皮１３と、外皮１３に被覆されたクッション材１４，１５と、クッション材１４，１５に包容され布製の袋１６に内包された多数の粒状部材１７とを備えて構成されている。粒状部材１７は、クッション材１４，１５よりも比重の大きい例えばプラスチック製のものを用いる。表面１２側の外皮１３（Ｂ）は、略球面状に膨出形成されるように、例えば、ダーツ処理がなされる。クッション材１４，１５において、表面１２側のクッション材１５の厚さは、裏面１１側のクッション材１４の厚さよりも大きく設定されている。例えば、表面１２側のクッション材１５としては、例えば板状の樹脂製の綿を用い、裏面１１側のクッション材１４としては、上記シート部材１と同様の例えばシート状のネル生地を用いる。
【００３１】
このパッド本体１０を製造するときは、予め、プラスチック製の粒状部材１７を封入した袋１６を作製しておく。また、裏面１１を構成する外皮１３（Ａ）の内側面にシート状のクッション材１４を付設し、表面１２を構成する外皮１３（Ｂ）の内側面に板状のクッション材１５を付設し、これらの外皮１３の外側面同士を接合して袋状に縫合する。そして、クッション材１４，１５が内側に入るように反転させ、この袋状の口から、粒状部材１７を内包した袋１６を入れてクッション材１４，１５間に包容して、この袋状の口を縫合する。符号１８は縫合線である。表面１２側のクッション材１５の厚さを裏面１１側のクッション材１４の厚さよりも大きくしているので、表面１２側をより膨らませることができ、可能な限り実際の乳房に近いものにすることができる。
【００３２】
保持手段２０は、係止部２１と係止部２１に係止される被係止部２２とを備えて構成されており、複数設けられている。係止部２１及び被係止部２２の何れか一方は、シート部材１の肌面に接触する裏面２よりも表面３側に設けられ、係止部２１及び被係止部２２の何れか他方は、パッド本体１０の肌面に接触する裏面１１よりも表面１２側に設けられている。また、係止部２１及び被係止部２２の少なくとも何れか一方は、伸縮性部材で構成されている。
【００３３】
詳しくは、実施の形態においては、係止部２１及び被係止部２２の何れか一方（実施の形態では係止部２１）が、糸で縫合されたボタン２３で構成され、係止部２１及び被係止部２２の何れか他方（実施の形態では被係止部２２）が、一部が縫合された伸縮可能なゴム製のリング２４で構成されている。係止部２１からなるボタン２３は、一対設けられており、夫々、パッド本体１０の表面の縫合線１８に近い位置であって、互いに１８０度離間した位置に縫合により止着されている。
【００３４】
一方、被係止部２２からなるゴム製のリング２４も、ボタン２３に対応して一対設けられており、シート部材１の長手方向中心線Ｑ上に、一対のボタン２３の間隔に合わせて所定間隔で縫合されている。一方のリング２４は、主体部４の外周縁の縫合線８位置から突出するように止着されており、他方のリング２４は、シート部材１の表面３に止着されている。２５は商品名等を表示する矩形の布製タグであり、他方のリング２４の止着部を覆うようにシート部材１の表面に止着されている。
【００３５】
従って、この胸用パッドＰを使用するときは、以下のようにする。先ず、通常の使用においては、図２乃至図５に示すように、シート部材１にパッド本体１０を取り付け、保持手段２０により保持して、シート部材１とパッド本体１０とを結合する。この場合、係止部２１のボタン２３に被係止部２２のリング２４を伸長させて係止する。また、ゴム製のリング２４を伸長させるだけでボタン２３に係止できるので、操作を容易に行うことができる。
【００３６】
そして、図６に示すように、この胸用パッドＰを人体に装着する。肌着ＷとしてブラジャーＢの場合で説明すると、装着の際には、シート部材１をその裏面２を胸部の肌面に接触させてあてがうとともにパッド本体１０をブラジャーＢのカップ部Ｗａ内に収納し、パッド本体１０周辺のシート部材１の露出した羽根部５をブラジャーＢのカップ部Ｗａ周辺で押さえて固定する。これにより、パッド本体１０により乳房のごとき膨らみを確保することができる。この場合、パッド本体１０は、その裏面１１の中心側が略平面状に形成されるので、シート部材１と密着しその接触面積も大きくなることから、シート部材１に対する支持が確実になる。また、保持手段２０が複数（一対）設けられているので、シート部材１に対するパッド本体１０の保持を確実にすることができる。
【００３７】
また、シート部材１は肌着Ｗのカップ部Ｗａ周辺で押さえられるので、肌面に対する保持が安定する。この場合、羽根部５をブラジャーＢのカップ部Ｗａの周辺で押さえることができ、押さえを確実にすることができる。また、羽根部５を押さえるので、手術直後などデリケートな傷にブラジャーＢの縫い目や縁などが直接当たらないようにすることができる。更に、脇の下でもたつく事態を防止することができる。また、係止部２１のボタン２３や被係止部２２のリング２４がシート部材１の肌面に接触する裏面に介在しないことになるので、肌面に係止部２１や被係止部２２が当接することがなく、そのため、肌に支障を与える事態を防止することができる。
【００３８】
更にまた、シート部材１は、布製の外皮６を備えているので、この布製の外皮６が肌に接触することから、より安価で通気性・吸水性を確保し、肌触りも向上させることができる。また、パッド本体１０は、袋１６に内包された多数の粒状部材１７を用いているので、ある程度の重みを加えることができ、安定化を図ることができるとともに、可能な限り実際の乳房に近いものにすることができる。そしてまた、胸用パッドＰを装着した使用中においては、ブラジャーＢが人体に対して相対的に動くことがあるが、被係止部２２のリング２４が伸縮するので、シート部材１とパッド部材とが互いに相対的に動くことができ、そのため、シート部材１の肌面に対する移動量が少なくなるので、擦れを抑制することができ、それだけ装着感を向上させることができる。
【００３９】
また、例えば、手術後に十分に傷が癒えていない場合や、痛みが残る場合等には、通常の使用ではパッド本体１０が肌を圧迫することがあり、その場合には肌に負担がかかりすぎて使用に支障をきたすことがある。また、この際、胸用パッドＰを使用しないようにしても、肌着Ｗが直接肌に当たるので、肌の保護が必要になる場合もある。その場合には、図１に示すように、保持手段２０の保持を解除してシート部材１からパッド本体１０を取外す。この場合、被係止部２２のリング２４を伸長させて係止部２１のボタン２３を外す。ゴム製のリング２４を伸長させるだけでボタン２３を外すことができるので、操作を容易に行うことができる。
【００４０】
そして、図７に示すように、シート部材１のみを胸部の肌面に接触させてあてがい肌着Ｗのカップ部Ｗａ周辺でシート部材１の表面３を押さえて固定する。これにより、肌面を保護することができるようになる。この場合、パッド本体１０が取外されているのでパッド本体１０によって肌を圧迫することがなく、肌に負担がかかる事態を防止することができる。そのため、別途保護用のパッドを用意しなくても良く、それだけ、汎用性を増すことができる。
【００４１】
一方、傷が落ち着いた状態では、シート部材１とパッド本体１０とを結合した状態での使用に支障はないとしても、シート部材１が肌着Ｗによって押圧されているので、肌着Ｗが動いたときにシート部材１も動くことから、シート部材１による擦れが気になって不要に感じることもある。その場合には、図１に示すように、保持手段２０の保持を解除してシート部材１からパッド本体１０を取外し、図８に示すように、パッド本体１０のみを肌着Ｗのカップ部Ｗａ内に収容して用いる。これにより、乳房のごとき膨らみを確保することができる。この場合、シート部材１が取外されているので肌着Ｗが動いたときのシート部材１よる擦れが気になることがない。特に、係止部２１のボタン２３をパッド本体１０の肌面に接触する裏面１１よりも表面１２側に設けたので、肌面に係止部２１が当接することがなく、肌に支障を与える事態を防止することができる。また、肌着Ｗのカップ部Ｗａにはパッド用の収納ポケットが備えられているものもあるが、この場合には、パッド本体１０を収納ポケットに収納して用いることができる。シート部材１がないので容易に収納ポケットに対応することができる。このため、汎用性を増すことができる。
【００４２】
更に、通常の使用においては、シート部材１は肌に接触するので汗等で汚れ易く、その場合には、保持手段２０の保持を解除してシート部材１からパッド本体１０を取外し、シート部材１のみを洗濯をして再使用することができる。シート部材１の洗濯においては、パッド本体１０がないので薄いことから、洗いが容易で、乾燥も速くなり、洗濯を容易に行うことができる。この場合、パッド本体１０の洗濯の頻度を減らすことができるので、それだけ耐久性を損ねる事態が防止される。また、シート部材１が痛んだ場合には、新しいものと交換することもでき、それだけ、省力化を図ることができる。シート部材１のみの使用においても同様である。
【００４３】
一方、パッド本体１０が汚れた場合やパッド本体１０のみの使用においても、パッド本体１０のみを洗濯して再使用することもできる。この場合は、上記とは逆に、パッド本体１０の洗濯においては、シート部材１がないので、それだけ洗いが容易で、乾燥も速くでき、洗濯を容易に行うことができる。この場合、シート部材１の洗濯の頻度を減らすことができるので、それだけ耐久性を損ねる事態が防止される。
【００４４】
このように、本胸用パッドＰによれば、シート部材１とパッド本体１０とを結合した通常の使用，シート部材１のみの使用，パッド本体１０のみの使用の言わば３ＷＡＹの使用を行うことができ、汎用性を大幅に向上させることができるのである。
【００４５】
尚、上記実施の形態の一対の保持手段２０において、一対のボタン２３の両方をパッド本体１０に設け、一対のリング２４の両方をシート部材１に設けたが、必ずしもこれに限定されるものではなく、図９に示すように、一方のボタン２３をシート部材１に設け、これに対応するリング２４をパッド本体１０に設けるようにしても良い。あるいはまた、一対のボタン２３の両方をシート部材１に設け、一対のリング２４の両方をパッド本体１０に設けるようにしても良く、適宜変更して差支えない。
【００４６】
また、上記実施の形態においては、保持手段２０を、ボタン２３とリング２４との組で構成したが必ずしもこれに限定されるものではなく、例えば、互いに係合する凸部シート及び凹部シートを備えた面ファスナーを用い、ボタン２３の取付け部位に対応したパッド本体１０の表面部位に凸部シート及び凹部シートの何れか一方を縫合し、リング２４の止着部に対応したシート部材１の部位に凸部シート及び凹部シートの何れか他方の一端を止着するように構成しても良い。あるいはまた、保持手段２０として、マグネットを用いるなど、適宜変更して差支えない。
【００４７】
更に、シート部材１やパッド本体１０の構成も、クッション性を確保できれば、上述したものに限定されるものではなく、適宜変更してよい。また、上記実施に形態においては、用いる肌着をブラジャーＢの場合で説明したが、必ずしもこれに限定されるものではなく、胸を覆う他の肌着であっても対応することができることは勿論である。即ち、本発明は、上述した本発明の実施の形態に限定されず、当業者は、本発明の新規な教示及び効果から実質的に離れることなく、これら例示である実施の形態に多くの変更を加えることが容易であり、これらの多くの変更は本発明の範囲に含まれる。
【符号の説明】
【００４８】
Ｐ  胸用パッド
Ｗ  肌着
Ｂ  ブラジャー
Ｗａ  カップ部
１  シート部材
２  裏面
３  表面
４  主体部
５  羽根部
５ａ  上側縁
５ｂ  下側縁
６  外皮
７  クッション材
８  縫合線
１０  パッド本体
１１  裏面
１２  表面
１３  外皮
１４  クッション材
１５  クッション材
１６  袋
１７  粒状部材
１８  縫合線
２０  保持手段
２１  係止部
２２  被係止部
２３  ボタン（係止部）
２４  リング（被係止部）
２５  タグ
【図１】
2018197414.tif 000003
【図２】
2018197414.tif 000004
【図３】
2018197414.tif 000005
【図４】
2018197414.tif 000006
【図５】
2018197414.tif 000007
【図６】
2018197414.tif 000008
【図７】
2018197414.tif 000009
【図８】
2018197414.tif 000010
【図９】
2018197414.tif 000011